(57)【特許請求の範囲】
【請求項１】
光透過性能及びガス透過性能を有するポリマーからなる管状体の内壁面の少なくとも一部に嫌気性の光合成細菌又は嫌気性の光合成微生物を付着させ、該管状体に貧酸素化又は無酸素化した汚水を通過させて酸素を拡散供給しつつ光合成させることを特徴とする汚水浄化システム。
【請求項２】
ポリマーがポリテトラフルオロエチレン、ポリ塩化ビニル、シリコン樹脂から選択される少なくとも１種であることを特徴とする請求項１に記載の汚水浄化システム。
【請求項３】
管状体の断面が円形、多角形又はこれらの組み合わせであることを特徴とする請求項１又は２に記載の汚水浄化システム。
【請求項４】
内壁面の少なくとも一部に嫌気性の光合成細菌又は嫌気性の光合成微生物を付着した、光透過性能及びガス透過性能を有するポリマーからなる管状体に、貧酸素化又は無酸素化した汚水を微量酸素の存在下で、通水することを特徴とする汚水浄化方法。
【請求項５】
汚水を浄化した後、管状体内に付着した有価物を回収することを特徴とする請求項４に記載の汚水浄化方法。
【請求項６】
有価物が燐含有物であることを特徴とする請求項５に記載の汚水浄化方法。
【請求項７】
汚水が嫌気性汚水であることを特徴とする請求項４乃至６の内いずれか１項に記載の汚水浄化方法。
【発明の詳細な説明】
【０００１】
【発明の属する技術分野】
本発明は、富栄養化した水域や、畜産排水等にみられるような汚染された水質を浄化し、有用な資源を回収する汚水浄化用管状体及びそれを用いた汚水浄化方法に関する。
【０００２】
【従来の技術】
近年、ダム湖や貯水池、内湾、漁港等のような強い閉鎖性を示す水域では、富栄養化による水質悪化が大きな問題となっている。また、水道水源となる水域においてもアオコや淡水赤潮の発生が多数報告されていることもあり、市民レベルでの水質への関心は以前とは比較にならないほど高まっている。
富栄養化の原因として、山間部において水域へ流入する落葉の分解や、酪農・畜産からの屎尿排泄等、都市部においては生活排水の流入等による、窒素・リンの水域への過剰な流入が考えられる。これらの水域への流入により、植物プランクトンの異常増殖を促し、それらの死骸（デトリタス）は沈降し、堆積物の有機物含有量を著しく増加させる。この結果、表層の水温上昇、塩水の進入などに伴い密度成層が形成されると、容易に底層部の貧酸素化、無酸素化が起こるようになる。
酸素を含む表層水では、生物化学的反応により、一般的には溶存物質濃度は低い。これに対し、底層水中には溶存物質が高濃度に蓄積しており、底層水質を改善することが非常に重要な課題となっている。
【０００３】
従来より、汚水処理方法として深層曝気法や活性汚泥法が一般的に用いられている。深層曝気法には、曝気により直接底層水への酸素溶解を狙う方法と、曝気により成層を破壊し鉛直混合の促進を狙う方法がある。
しかしながら、前者の深層曝気法においては、底層水への酸素供給速度は底層に送り込まれた空気から水への酸素の溶解度に制限されており、十分な酸素供給を実現できていないのが実状である。
後者の深層曝気法においては、曝気の影響する水平範囲は限られるため、水域全体を混合することはほとんど不可能であるという問題がある。
また、両者の深層曝気法ともに、水に比べて圧倒的に密度の小さい空気を底層に送り込む方法を採用しているため、膨大な人工エネルギーを投入しなければならず多大なコストが必要であるだけでなく、多量のエネルギー投入による環境負荷の問題がある。
活性汚泥法等の汚水処理では、処理過程において大量の汚泥等の副産物を生じ、脱水・乾燥等の処理が必要となり、その結果、高コストと高エネルギーを投入しなければならないという問題がある。
【０００４】
一方、富栄養化水域において密度成層が形成された場合、稀に躍層付近に光合成細菌が集積することがある。これは、光合成細菌が酸素発生型の光合成を行う植物プランクトン等との競合に弱く、光の十分に届く水表面付近ではその個体数を増やせないこと、躍層付近では底層水中に含まれる高濃度の栄養塩を利用することが可能であること等の理由によるものである。
上記の光合成細菌を用いた汚水浄化方法としては、セラミック担体やゲル状物質に光合成細菌を定着させ個体群の保持を図る方法等がある。
例えば、特開平９−８５２８２号公報には、「寒天ゲルで光合成細菌を固定する、河川、湖沼などの水質改善装置」が開示されている。
特開平９−２３４４８２号公報には、「成層した湖沼等の水を鉛直方向に撹拌する、浮上型水質浄化装置及び水質浄化方法」が開示されている。
特開平９−７５９８５号公報には、「多孔質の担体に光合成細菌を付着した、水質浄化装置」が開示されている。
特開平１１−２８９９１３号公報には、「ファイバーに光合成生物を付着した、養殖用飼育用水の浄化フィルタ及び浄化装置」が開示されている。
【０００５】
しかしながら、従来の光合成細菌を用いた汚水浄化方法では、以下の課題を有していた。
特開平９−８５２８２号公報における水質改善装置は、寒天ゲルに光合成細菌を固定するものであるため、１週間から２週間程度の連続稼動でゲルが崩壊し、浄化能が低下するという問題がある。
特開平９−２３４４８２号公報における浮上型水質浄化装置は、部分的に光合成細菌を使用するが、窒素、リンを回収することがないので、水域に含まれる窒素、リンの総量は減少しない。このため、装置稼動中においては一時的に水質改善は見られるが、稼動を止めてしばらくすると元に戻るという問題がある。また、浄化に多大なエネルギー投入が必要であり、有価物の回収を行うことができないという問題がある。
特開平９−７５９８５号公報における水質浄化装置は、活性炭等を用いた担体表面から内部に進むにしたがって酸素は消費されて行き、酸素が無くなるところで光合成細菌は活性を持つようになるため、光は大幅に減衰しており（酸素よりも先に光が無くなる）、十分な光合成活性が得られないという問題がある。また、増殖した光合成細菌は水域の食物連鎖に組み込まれるため、水質浄化の役割は果たすが、有価物の回収はできないという問題がある。
特開平１１−２８９９１３号公報における浄化フィルタ及び浄化装置は、光合成に有利な波長を選択的に照射するものであるが、処理対象が養殖魚の飼育用水であるため、かなりの酸素を含んでおり、このような条件で光合成細菌が発生する可能性はかなり低いという問題がある。酸素を含む水が処理の対象となっているため、嫌気条件下で浄化能を発揮するタイプの光合成細菌の維持は困難である。
【０００６】
その他、光合成細菌を用いた従来の汚水浄化方法では、光条件・栄養条件・嫌気好気条件等、光合成細菌の代謝活性にかかわる様々な要素の不均一化が起こり、全ての光合成細菌の有効な活性は期待できないという問題がある。
また、酸素条件をコントロールしたリアクター等の内部に人工的に光照射を行い、酸素・光の条件を整えなければならず、リアクターの設置・汚水発生源からリアクターまでの水の輸送・光源用エネルギーの確保等の必要があり、多大な手間とエネルギーを投入しなければならないという問題がある。
一方、近い将来、資源としての燐は枯渇する可能性が指摘されており、燐の回収等、有効な資源対策が切望されている。
【０００７】
【発明が解決しようとする課題】
本発明の課題は、富栄養化し貧酸素化あるいは無酸素化した汚濁した水塊を、光合成細菌を付着し育成した管状体内を通過させ、光合成を促進させることにより、水塊内に含まれる汚濁物質を除去するとともに、有用な資源を回収する汚水浄化用管状体を提供すること、及び富栄養化した水域を低コスト且つ低エネルギーで浄化する汚水浄化方法を提供することにある。
【０００８】
【課題を解決するための手段】
本発明者らは、上記課題を解決するため鋭意検討した結果、光合成微生物は富栄養化水域に見られる植物プランクトンが存在するところでは優占することができないが、植物プランクトンがいない、または少ない状況下（例えば濾過水中等）で光条件が整うと活発な活動を行い、多量の栄養塩を吸収することを見出し、本発明を完成するに至った。
【０００９】
すなわち、本発明は、以下の［１］〜［１０］に記載した事項により特定される。
［１］内壁面の少なくとも一部が光合成微生物付着能を有し、貧酸素化又は無酸素化した汚水の通過により光合成可能な管状体から構成されることを特徴とする汚水浄化用管状体。
［２］管状体の内面の少なくとも一部が、光合成微生物付着能及び光透過性能を有するポリマーであることを特徴とする［１］に記載の汚水浄化用管状体。
［３］ポリマーがガス透過性能を有することを特徴とする［２］に記載の汚水浄化用管状体。
［４］ポリマーがポリテトラフルオロエチレン、ポリ塩化ビニル、シリコン樹脂から選択される少なくとも１種であることを特徴とする［２］又は〔３〕に記載の汚水浄化用管状体。
［５］管状体の断面が円形、多角形又はこれらの組み合わせであることを特徴とする［１］乃至［４］の内いずれか１項に記載の汚水浄化用管状体。
［６］［１］乃至［５］の内いずれか１項に記載の管状体に貧酸素化又は無酸素化した汚水を微量酸素の存在下で、通水することを特徴とする汚水浄化方法。
［７］管状体に光合成微生物を付着させた後、汚水を該管状体内に通水することを特徴とする［６］に記載の汚水浄化方法。
［８］汚水を浄化した後、管状体内に付着した有価物を回収することを特徴とする［６］又は［７］に記載の汚水浄化方法。
［９］有価物が燐含有物であることを特徴とする［８］に記載の汚水浄化方法。
［１０］汚水が嫌気性汚水であることを特徴とする［６］乃至［９］の内いずれか１項に記載の汚水浄化方法。
【００１０】
【発明の実施の形態】
以下、本発明を詳細に説明する。
本発明は、現場水域において躍層付近に優占する光合成微生物を、光条件が良好な水表面に設置した汚水浄化用管状体の内壁面に付着させ、競合する植物プランクトンがいない状況下で光合成を行わせ、水中に溶解している高濃度の汚濁物質を除去するとともに、燐含有物等の有価物を回収する。
【００１１】
本発明における管状体の材質は、内壁面の少なくとも一部が光合成微生物付着能を有するものであれば、特に限定されるものではないが、管状体の内壁面に凹凸を有する材質にすると、光合成微生物が内壁面に付着しやすく、また付着面積が増大し好ましい。管状体の内面の少なくとも一部が光合成微生物付着能及び光透過性能を有するポリマー、例えば、ポリテトラフルオロエチレン、ポリ塩化ビニル、シリコン樹脂、ポリエチレン、ポリスチレン、ＡＳ樹脂、ＡＢＳ樹脂、ポリプロピレン、アクリル樹脂、メタクリル樹脂、ポリエチレンテレフタレート、ポリアミド、ポリカーボネート、ポリアセタール、変性ポリフェニレンエーテル、ポリブチレンテレフタレート、ポリフェニレンサルファイド、ポリアリレート、ポリサルホン、ポリエーテルサルホン、ポリエーテルエーテルケトン、ポリエーテルイミド、ポリアミドイミド、液晶ポリマー、ポリイミド、ポリフタルアミド、ポリアクリロニトリル、フッ素樹脂、フェノール樹脂、ユリア樹脂、メラミン樹脂、エポキシ樹脂、不飽和ポリエステル、ポリウレタン、ジアリルフタレート樹脂、アルキド樹脂や、ポリ乳酸、ポリヒドロキシ酪酸、ポリカプロラクトン、ポリブチレンサクシネート、ポリエチレンサクシネート、ポリビニルアルコール、ポリウレタン等の生分解性ポリマーの１種又は２種以上を用いると地球規模でのプラスチック廃棄物処理問題を回避する上で好ましい。中でもガス透過性能を有するポリマーが好ましい。但し、汚水から光合成微生物の生育に必要な酸素が供給される場合には、ガス透過性能を有していなくても構わない。
なお、光合成細菌付着能、光透過性能およびガス透過性能は、管状体の内面全面に有する必要はなく、一部であってもよい。
【００１２】
ここで、光合成微生物付着能とは、１個以上の光合成微生物が管状体の内壁面に付着する性質をいい、内壁面に凹凸を有すると付着能が高まる。
ガス透過性能とは、管状体の内壁面に付着した光合成微生物が光合成を行う際に必要となる、適切な量の酸素を管状体外側から分子拡散等の過程により供給する性質をいう。
光透過性能とは、管状体の内壁面に付着した光合成微生物が光合成を行うの際に必要な量の光を透過する性質をいう。光合成細菌の代謝活性が最大となる光透過率となる材質が好ましい。例えば、紅色硫黄細菌の場合、代謝活性が最大となる、約５０００ルックス以下の光を透過する材質が好ましい。これより強い光は光合成細菌が不活性になる等の障害が生じる恐れがあるので、この場合には、何らかの遮光物を設ける必要がある。
【００１３】
本発明に用いる光合成微生物としては、嫌気型の光合成細菌又は嫌気型の光合成微生物が挙げられる。具体的には、光エネルギーを用いて光無機栄養又は光有機栄養によって生育する細菌であり、ロドスピリルム属、ロドシュードモナス属、クロマテウム属、クロロフレクサス属、クロロビウム属等があり、ロドシュードモナス  カプスラータ、ロドシュードモナス  フィリディス、ロドスピリルムルブラム等が好適に用いられる。例えば、下水汚泥には、ロドシュードモマス属のパルストリス（Joong Kyun Kim, Bum-kyu Lee, Sang-Hee Kim, Jung-Hye Moon, Aquacultural Enginnering, 1999参照）、畜産排水には紅色硫黄細菌(J.L. Sund, C.J. Evenson, K.A. Strevett, R.W. Nairn, D. Athay, E. Trawinski, Journal of Environmental Quality, 2001参照)、海洋にはロードブルム属である非硫黄光合成細菌(Tadashi Matsunaga, Tomoyuki Hatano, Akiyo Yamada, Mitsufumi Matsumoto,Biotechnology and Bioengineering, 2000参照)が用いられる。特に、紅色硫黄細菌は、有機化合物を光同化することができ、例えば、脂肪酸、その他の有機酸、第一級アルコール及び第二アルコール、炭水化物、芳香族化合物も同化される。また、これらの光合成細菌は、光同化し得る有機物質のほとんどを同時に呼吸基質として利用できる。また、還元型無機硫黄化合物を用いて光合成独立栄養的に生育することが可能である。これらの光合成細菌は、湖沼等高濃度生息域から採水し、培養、濃縮してもよいが、市販の光合成細菌を用いてもよい。また、光合成細菌を包括固定する担体としては、寒天、カラーギーナン、アルギン酸等の天然高分子ゲル及びポリビニルアルコール、ポリアクリルアミド等の合成高分子ゲルがあるが、光合成細菌その他存在する微生物に対する栄養塩としても利用できる寒天が用いられる。嫌気型の光合成細菌は環境中では、水温成層部等ほとんど光はないが、酸素がごく微量に含まれる場所で生育している。
【００１４】
本発明に用いる管状体の形状は、断面が円形、正方形、長方形、菱形、三角形、五角形、六角形等の多角形又はこれらの組み合わせが用いられるが、これらに限定されるものではない。また、管状体の長さは、特に限定されるものではなく、設置場所に応じて適宜変更できる。
【００１５】
本発明における汚水としては、貧酸素化又は無酸素化した汚水が用いられ、具体的には、富栄養化した底層水、畜産排水、工場廃水等が挙げられるが、これらに限定されるものではない。嫌気性汚水であると光合成細菌の代謝活性が促進され好ましい。
ここで、貧酸素化とは、分子状酸素は少量溶存しているが、魚に代表されるような好気的代謝を行う生物が継続的に生育することが困難な程度にまで溶存酸素濃度が減少することをいう。また、無酸素化とは、分子状酸素が欠乏することをいう。
【００１６】
本発明における汚水浄化用管状体は、１以上の管状体から構成されるが、その数あるいは配置の仕方は、設置場所に応じて適宜変更される。
本発明の汚水浄化用管状体は、富栄養化した水域や、畜産排水等にみられるような汚染された水質を浄化し、有用な資源を回収する他、養殖生簀との併用等、種々の用途に広く利用される。
【００１７】
養殖生簀では、過剰の餌散布および養殖魚の排泄により汚濁物質が生簀直下に堆積し、しばしば周辺の底層水質の悪化が認められる。養殖生簀に本発明に係る管状体を併用すると、特に汚染の著しい養殖生簀直下を中心とした水域の水質改善を行うことができる。
このように、養殖生簀に本発明に係る管状体を併用すると、他の比較的汚染していない水域に設置した場合よりも効率の良い浄化が可能となる。また、養殖生簀と併用することにより、本発明の汚水浄化用管状体によるシステムを別途設置する労力及びコストが削減できる。
【００１８】
畜舎から排出された畜産排水は、現状では沈殿池に一定期間滞留させ、上水をそのまま排出していることが多い。ほとんどの場合、沈殿池底層では無酸素化しているので、本発明を応用すれば非常に簡略な設備、低コスト、低環境負荷の浄化システムを構築することが可能となる。
【００１９】
以下、本発明の汚水浄化用管状体を用いた汚水浄化方法を説明する。
光条件が良好な水表面に設置した本発明の管状体に、微量酸素の存在下、貧酸素化又は無酸素化した汚水を満たすと、現場水域において躍層付近に優占する光合成微生物が本発明の管状体の内壁面に付着する。
次いで、管状体のガス透過性により管状体周囲から酸素が管状体内へと透過し、光合成微生物の付着している内壁付近が生育に理想的な微好気条件となる。通常、貧酸素化又は無酸素化した汚水（底層水）には、光合成微生物の代謝の基質となる溶存物質が高濃度に蓄積している。
その後、上記のような、競合する植物プランクトンがいない状況下で光合成を行わせ、水中に溶解している高濃度の汚濁物質を除去し、必要に応じて有価物を回収する。
【００２０】
ここで、微量酸素とは、本発明に用いる光合成微生物が、光合成の際に必要となる量の酸素をいう。酸素が過剰に存在すると、光合成微生物の光合成活性が低下し、または光合成活性が失われる。
一方、本発明の光合成微生物を担体を用いて固定化させる場合には、管状体に光合成微生物を付着させた後、貧酸素化又は無酸素化した汚水を管状体内に通水する。
【００２１】
光合成微生物の付着方法としては、酸素の拡散供給等により、管状体内が光合成微生物の生育に理想的な微好気条件にすることにより、管状体の内壁面に光合成微生物が付着、増殖する方法、担体に固定化させる方法等が挙げられるが、これらに限定されるものではない。
【００２２】
本発明の回収対象の有価物又は汚染物質としては、燐，窒素の他、鉄、銅、亜鉛、ニッケル、マンガン、カドミウム、水銀、アンチモン等の金属、有機スズ化合物（トリブチルスズ化合物、ジブチルスズ化合物、モノブチルスズ化合物、トリフェニルスズ化合物）、フタル酸エステル類、フェノール類（ノニルフェノール、ビスフェノールＡ）、有機塩素化合物（ＰＣＢ、ダイオキシン類）等の環境ホルモン、各種抗生物質等が挙げられるが、これらに限定されるものではない。有価物の回収方法としては、公知のあらゆる方法が用いられ、限定されるものではない。
【００２３】
以下、具体的に、本発明の管状体を用いた汚水浄化システムについて、図面を参照しつつ説明する。
（実施の形態１）
図１は富栄養化水域での汚水浄化システムを示す構成図であり、図２は汚水浄化システムの要部概略図である。
【００２４】
図１及び図２において、１は汚水浄化システム、２は光合成微生物の一つである紅色硫黄細菌を内壁面に付着・育成させた汚水浄化用管状体、３は汚水浄化用管状体２を設置する浮体、４は密度躍層よりも下層の水を管状体２まで揚水する揚水ポンプ、５は密度躍層よりも下層の水を管状体２まで揚水する揚水パイプ、６は浮体３の水平位置と鉛直位置を調整するワイヤー、８は浄化し資源を回収した後の処理水を再び下層へと送水する送水パイプ、９は浮体３の鉛直位置を調整するおもり、１０はアンカー、１１は流量を調整するバルブ、１２は揚水ポンプ４を駆動する太陽光発電装置である。
【００２５】
本システム１において、ワイヤー６は、アンカー１０から、浮体３に設置されている滑車を介してぶら下がった状態にあり、ワイヤー６の先端にはおもり９が設けられている。すなわち、ワイヤー６は、浮体３の水平位置と鉛直位置を調整することが可能であり、常に張力がかかった状態にある。また、浮体３は、おもり９による下向きの力、アンカー１０からの横向きの力、浮力３による上向きの力によって、釣り合いが保たれるところで静止している。
このため、本システム１の利点は、潮汐等の水位変動に対応できる。例えば、水面が上がるとアンカー１０から浮体３までのワイヤー６を伸ばす必要があるが、その分、浮体３から鉛直下向きのワイヤー６によって自動的に調節される。
本システム１においては、富栄養化に伴い貧酸素化又は無酸素化した底層水を対象にしているため、底層水を一時的に浮体にまで揚水し、そこで浄化・資源回収を行い、底層に戻すシステムとなっている。
また、一連の管状体２は浮体３に取り付けられており、また、浮体３は他の構造物等から完全に独立して設置させることが可能なため、任意の水域で使用することが可能である。
本システム１においては、管状体２に用いる光合成微生物は、通常、嫌気的環境下で生息しており、生息条件を満たしている密度躍層よりも下層の水を揚水する必要があるため、揚水ポンプ４及び揚水パイプ５を設置するのが好ましい。
【００２６】
以上のように構成された汚水浄化システム１を用いた汚水浄化方法について、以下説明する。
本発明の管状体に、微量酸素の存在下、貧酸素化又は無酸素化した汚水を満たすと、光合成微生物の一つである光合成細菌が本発明の管状体の内壁面に付着する。
次に、有光層（表層付近）に光合成細菌が付着した汚水浄化用管状体２を浮体３上に設置する。その後、管状体２内に処理対象となる嫌気状態の水（底層水）を揚水ポンプ４を用いて移動させる。この時、管状体２の外側と内側の酸素濃度の濃度勾配により、拡散で酸素が管状体２内に供給される。拡散により管状体２の内壁に供給された微量酸素は光合成細菌の代謝活性（光合成）に利用される。この際、管状体２内を流れている処理水中の汚濁物質を、管状体２の内壁に付着した光合成細菌が摂取する。すなわち、内壁面に付着した光合成細菌の光合成作用により、水中に含有されるリン・窒素・重金属などの汚濁物質が同化・吸収され、水質が浄化される。
この結果、処理水の汚濁物質が除去され、管状体２の内壁に付着した光合成細菌の生体内に保持される。この管状体２を回収することで、対象水（水域）から汚濁物質の除去が完了する。なお、光合成細菌は管状体２の内壁に付着させるため、処理水への汚濁物質の回帰を防ぐことが可能となる。
【００２７】
このように、管状体２の内壁面には高濃度にリン・窒素・重金属の集積が起こるので、資源回収の点から見ても非常に有利な手段となる。
また、富栄養化した水域での溶存汚濁物質は、光合成細菌へ同化・吸収されるため、光合成細菌による物質同化が効率的におこり、最も効率のよい水質浄化、資源回収が行われる。汚泥やスラリーの発生は無く、これらによる二次的汚染や回収処理の負担も無いため、利用性に優れる。
【００２８】
【実施例】
以下、実施例をもって本発明を更に詳細に説明するが、これらの例は単なる実例であって本発明を限定するものではなく、また本発明の範囲を逸脱しない範囲で変更させてもよい。
本実施例において、新しい水質浄化システム構築に向けた基礎研究として、光合成微生物の管状体の壁面付着量、栄養塩吸収速度などの水質浄化能と、管状体の材質、流量、光条件、栄養塩濃度などの環境条件との関係の定量化を確認した。
【００２９】
実施例１
連続培養系室内実験により、光合成細菌による栄養塩摂取能の定量化を行った。実験装置を図３に示す。本実験装置は、ペリスターポンプ２８により供給水がサンプルコア２５内に、サンプルコア２５内の直上水がＤＯの測定と各種溶存物質濃度測定用のサンプルビンに、送られる連続培養系となっている。装置全体を厚手の黒いカーテンのような布で覆い、サンプルコア２５を真っ暗な状態にした。これは、泥を採ってきた現場が真っ暗であるので、現場の状況に合わせるためである。
ここで、サンプルコア２５とは、現場から採取した泥を入れた内径８．５ｃｍのアクリル樹脂製のパイプであり、堆積物部分と直上水部分からなる。泥入りアクリルパイプを併用することにより、現場の堆積物状の水を擬似的に再現することが可能となる。一方、内壁に光合成細菌を付着させたタイゴンチューブ３１（商品名；ノートン社製）は、サンプルコア２５あるいは参照コア２６の各上端とポンプ２８とを接続するラインの水平部分に設置した。
本実験装置は、チューブ３１内を流れる水の水質条件（ＤＯ濃度、ｐＨ等）を定常に保つことができるという点に最大の特徴があり、特定の環境条件の影響のみを抽出して調べることができる。
【００３０】
サンプルは、島根県東部に位置する中海湖心より採取した堆積物及び底層水を使用した。供給水には、ワットマンＧＦ／Ｃを用いて吸引ろ過した底層水を窒素曝気によりＤＯ濃度を０ｍｇ／ｌに調整し用いた。
実験条件としては、サンプルコア２５の堆積物部分は暗条件、恒温水槽３０中にて約２９℃、チューブ３１部分は明条件、室温とした。また、光合成細菌の発生、増殖を確実に行うため、堆積物コアを併用した。その結果を図４、図５に示す。
図４、図５より、供給水には高濃度に栄養塩が含まれているが（ＰＯ４−３−Ｐは約７５μｇ／ｌ、ＮＨ４＋−Ｎは約１５０μｇ／ｌ）、流出水中の栄養塩濃度は極端に減少していることがわかる（ＰＯ４−３−Ｐは約４５μｇ／ｌ、ＮＨ４＋−Ｎは約２０μｇ／ｌ）。これは、チューブ内壁に付着した紅色硫黄細菌が行う光合成により摂取された結果と考えられる。
このように、本実施例からは光合成細菌の増殖条件、栄養塩摂取速度などの知見が得られた。また、堆積物が無い条件においても、光合成細菌が発生、増殖可能であるとの結果が得られた。
下記式（１）（数１）により、単位面積当りの紅色硫黄細菌による栄養塩摂取速度を計算した。
【００３１】
【数１】
0004430851.tif 000002
（式中、Ｒは単位面積当りの紅色硫黄細菌による栄養塩摂取速度、Ａはチューブ内面積、Ｃｉｎは供給水内栄養塩濃度、Ｃｏｕｔは流出水内栄養塩濃度、Ｑは流量を表す）
【００３２】
この結果、ＰＯ４−３−Ｐ摂取速度は約１０ｍｇ／ｍ２／ｄａｙ、ＮＨ４＋−Ｎ摂取速度は約３１ｍｇ／ｍ２／ｄａｙと見積もられた。ただし、この計算過程には堆積物からの溶出量が考慮されていないこと、流出水の濃度は極めて低く栄養塩摂取には不利であることなどを考慮すると、真の栄養塩摂取速度を過小評価している可能性が高い。
上記の結果を元にReynolds数を考慮して、直径３０ｃｍ、長さ１０ｍのチューブを１０本用いた場合の年間水処理能力を単純計算すると約８０００ｍ２／ｙｒとなる。
【００３３】
実施例２
各種チューブの空気中での酸素透過係数を求めるための酸素透過実験を室内で行った。
本実施例に用いたチューブは、ビニル（ポリ塩化ビニル）チューブ、シリコン（ＳＲ）チューブ、トアロンチューブ（商品名；東亜化学社製）、タイゴンチューブ（商品名；ノートン社製）で行った。尚、トアロンチューブは、ＰＶＣと塩素化ＰＥ、メタアクリル酸メチルのグラフト重合したものを熱融合したものである。
チューブの大きさは、それぞれ内径４ｍｍ、外径６ｍｍ、肉厚１ｍｍである。
溶存酸素（ＤＯ）透過係数kは、下記式（２）（数２）を用いて計算した。
【００３４】
【数２】
0004430851.tif 000003
（式中、Ｃoutは流出水中のＤＯ濃度、Ｃinは流入水中のＤＯ濃度、Ｃsatは飽和ＤＯ濃度、ＣはＤＯ透過の対象となるチューブ内のＤＯ濃度（流出水と流入水の平均濃度）、Ｌはチューブの壁面厚さ、ＡはＤＯ透過の対象となるチューブの面積、Ｑは流量を表す）
【００３５】
各チューブが室温約１５℃の空気中に存在する場合、ＤＯ透過係数を表１（表１）に示す。
表１より、酸素透過が小さい順にビニルチューブ、トアロンチューブ、タイゴンチューブ、ＳＲチューブであることがわかった。特にＳＲチューブの酸素透過率が際立って高かった。
【００３６】
実施例３
各チューブが約１３℃の水中（ＤＯ濃度は飽和）に浸されている場合、ＤＯ透過係数を表１（表１）に示す。
表１より、酸素透過が小さい順にビニルチューブ、タイゴンチューブ、トアロンチューブ、ＳＲチューブであることがわかった。特にＳＲチューブの酸素透過率が際立って高かった。
実施例２と比較すると、タイゴンチューブとトアロンチューブの順位が入れ替わっていた。タイゴンチューブ、ＳＲチューブで小さい値が、トアロンチューブで大きい値が、ビニルチューブで同等の値が得られたが、顕著な差は見られなかった。
実施例２及び実施例３より、チューブが水中にある場合と、空気中にある場合を比較すると、ＤＯ透過係数にはそれほど大きな変化は見られなかった。
これにより、光合成細菌を用いた水質浄化施設を設計する際、チューブは空気中、水中のいずれに設置することも可能と考えられる。
【００３７】
実施例４
各チューブが約２０℃の水中（ＤＯ濃度は飽和）に浸されている場合、ＤＯ透過係数を表１（表１）に示す。
表１より、酸素透過が小さい順にビニルチューブ、トアロンチューブ、タイゴンチューブ、ＳＲチューブであることがわかった。特にＳＲチューブの酸素透過率が際立って高かった。
実施例３と比較すると、タイゴンチューブとトアロンチューブの順位が入れ替わっていた。トアロンチューブ以外で大きい値が得られた。
実施例３及び実施例４より、チューブが水中にあるとき、トアロンチューブ以外は水温の増加に伴いＤＯ透過係数が大きくなることがわかる。
【００３８】
実施例５
各チューブが約３０℃の水中（ＤＯ濃度は飽和）に浸されている場合、ＤＯ透過係数を表１（表１）に示す。
表１より、酸素透過が小さい順にビニルチューブ、トアロンチューブ、タイゴンチューブ、ＳＲチューブであることがわかった。特にＳＲチューブの酸素透過率が際立って高かった。
実施例３と比較すると、タイゴンチューブとトアロンチューブの順位が入れ替わっていた。１２℃−１４℃の水中にある場合とは同じ順番だった。全てのチューブで水温が低い場合よりも大きい値が得られた。
【００３９】
【表１】
0004430851.tif 000004
【００４０】
実施例３乃至実施例５より、トアロンチューブ以外は水温の増加に伴うＤＯ透過係数の顕著な増加は見られなかった。しかし、他のチューブに関しては、水温の増加に伴いＤＯ透過係数が高くなる傾向が認められた。
実施例２乃至実施例５より、ＤＯ透過係数はシリコンチューブが最も高く、適当な環境条件の設定で、最も高い（光合成細菌による）水質浄化能を発揮する可能性が高いことがわかる。
シリコンチューブの場合、水温の増加に伴いＤＯ透過係数が大きくなった。また光合成細菌の代謝活性は３０℃付近で最大となることが多い（R. spheroidesでは３０℃が最適生育温度である。「光合成細菌で環境保全」（小林達治  著）参照）。
以上のことから、水温３０℃以下の条件では（環境中の海水は水温３０℃以下と考えられる）、水温の増加に伴って水質浄化能が伸びる可能性が高いことがわかる。
【００４１】
【発明の効果】
本発明の汚水浄化用管状体によれば、富栄養化し貧酸素化あるいは無酸素化した汚濁した水塊を、光合成細菌を付着し育成した管状体内を通過させ、光合成を促進させることにより、容易かつ簡便に、水塊内に含まれる汚濁物質を除去するとともに、有用な資源を回収することができ、新しい水質浄化システムを構築することができる。また、光合成細菌を管状体の内壁面に薄く広く付着させることができるため、光・酸素供給・栄養供給などの諸条件を光合成細菌全体に均一に与えることが可能である。また、１つの最適な条件を整えると、その条件が全ての個体に行き渡るので、すべての光合成細菌個体に対して最適な条件を与えることが容易になり、保持する光合成細菌の水質浄化能を最大限引き出すことが可能となる。また、水処理を行う光合成細菌が管状体の内壁に薄く広がるため、大量の汚泥は発生することなく、管状体内の水を抜くことで簡単に脱水も可能であり、多大な設備、経費や労力を必要としない。更に、現場水域に容易に設置可能で、水の長距離輸送の必要が無く、自然光を使用するので、大きなエネルギーの投入を必要とせず、例えば太陽光発電等で簡易に十分に対応できる。
【００４２】
本発明の汚水浄化方法によれば、富栄養化した水域を低コスト且つ低エネルギーで浄化することができる。また、必要な人工的なエネルギーは、底層水を有光層（表層付近）に異動させるためのみであるので、非常に小さなエネルギーの投入のみで稼動可能である。
【図面の簡単な説明】
【図１】本実施の形態における汚水浄化システムを示す構成図
【図２】本実施の形態における汚水浄化システムの要部概略図
【図３】本発明の実施例1における連続培養系実験装置概略図
【図４】本発明の実施例1における光合成細菌の栄養塩摂取能（ＰＯ４−３−P）を示すグラフ
【図５】本発明の実施例1における光合成細菌の栄養塩摂取能（ＮＨ４＋−Ｎ）を示すグラフ
【符号の説明】
１  汚水浄化システム
２  汚水浄化用管状体
３  浮体
４  揚水ポンプ
５  揚水パイプ
６  ワイヤー
８  送水パイプ
９  おもり
１０  アンカー
１１  バルブ
１２  太陽光発電装置
Ａ  密度躍層
２１  ＤＯメーター
２２  供給タンク（１）
２２’  供給タンク（２）
２３  酸素ボンベ
２４  窒素ボンベ
２５  サンプルコア
２６  参照コア
２７  ＤＯメーター
２８  ポンプ
２９  攪拌器
３０  恒温水槽
３１  チューブ
【図１】
0004430851.tif 000005
【図２】
0004430851.tif 000006
【図３】
0004430851.tif 000007
【図４】
0004430851.tif 000008
【図５】
0004430851.tif 000009